【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
撮像手段による撮像に基づいて生成された画像を取得する画像取得手段と、
前記撮像手段による撮像と共に行われる収音手段による収音に基づく音響信号に対応する音源であって、前記画像取得手段により取得される第１画像に含まれない音源を特定する特定手段と、
前記画像取得手段により取得される前記第１画像の表示と共に、前記第１画像に係る撮像時点とは異なる時点における前記撮像手段による撮像に基づく第２画像であって前記特定手段により特定される音源の少なくとも一部を含む前記第２画像を表示部に表示させる表示制御手段と
を有することを特徴とする情報処理装置。
【請求項２】
前記特定手段は、前記収音手段による収音に基づく音響信号を用いて、前記第１画像に含まれない音源の位置及び方向の少なくとも何れかを特定し、
前記表示制御手段は、前記表示部内の表示位置であって前記特定手段により特定される前記音源の位置及び方向の少なくとも何れかに応じた表示位置に前記第２画像を表示させることを特徴とする請求項１に記載の情報処理装置。
【請求項３】
前記表示制御手段は、前記表示部内の表示位置であって前記第１画像が表示される領域の外の表示位置に前記第２画像を表示させることを特徴とする請求項１又は２に記載の情報処理装置。
【請求項４】
前記表示制御手段は、前記第２画像を前記第１画像に重畳させて前記表示部に表示させることを特徴とする請求項１又は２に記載の情報処理装置。
【請求項５】
前記表示制御手段は、前記第１画像と前記第２画像の表示と共に、前記特定手段により特定される音源の位置を示す情報を表示させることを特徴とする請求項１乃至４の何れか１項に記載の情報処理装置。
【請求項６】
前記表示制御手段は、前記第１画像と前記第２画像の表示と共に、前記特定手段により特定される音源の位置の軌跡を示す情報を表示させることを特徴とする請求項１乃至５の何れか１項に記載の情報処理装置。
【請求項７】
前記画像取得手段により取得される動画を構成する複数のフレームであって前記第１画像に対応する第１フレームを含む複数のフレームから、前記特定手段により特定される音源の少なくとも一部の画像を含む第２フレームを選択する選択手段を更に有し、
前記表示制御手段は、前記第１画像の表示と共に、前記選択手段により選択される前記第２フレームに基づく画像を前記第２画像として前記表示部に表示させることを特徴とする請求項１に記載の情報処理装置。
【請求項８】
前記選択手段は、前記動画を構成する複数のフレームから、前記特定手段により特定される音源の全体の画像を含むフレームを前記第２フレームとして選択することを特徴とする請求項７に記載の情報処理装置。
【請求項９】
前記選択手段は、前記動画を構成する複数のフレームに前記特定手段により特定される音源の画像を含むフレームが複数含まれる場合に、当該音源の画像を含む複数のフレームそれぞれに対応する撮像時点に基づいて前記第２フレームを選択することを特徴とする請求項７又は８に記載の情報処理装置。
【請求項１０】
前記選択手段は、前記動画を構成する複数のフレームに前記特定手段により特定される音源の画像を含むフレームが複数含まれる場合に、当該音源の画像を含む複数のフレームそれぞれに対応する撮像時点と前記第１フレームに対応する撮像時点とに基づいて前記第２フレームを選択することを特徴とする請求項７乃至９の何れか１項に記載の情報処理装置。
【請求項１１】
前記選択手段は、前記動画を構成する複数のフレームに前記特定手段により特定される音源の画像を含むフレームが複数含まれる場合に、当該音源の画像を含む複数のフレームそれぞれにおける当該音源の画像の位置及び大きさの少なくとも何れかに基づいて前記第２フレームを選択することを特徴とする請求項７乃至１０の何れか１項に記載の情報処理装置。
【請求項１２】
前記選択手段は、前記動画を構成する複数のフレームに前記特定手段により特定される音源の画像を含むフレームが複数含まれる場合に、当該音源の画像を含む複数のフレームのうちユーザによる指定に応じたフレームを前記第２フレームとして選択することを特徴とする請求項７乃至１１の何れか１項に記載の情報処理装置。
【請求項１３】
撮像手段による撮像対象領域の撮像に基づいて生成された画像を取得する画像取得手段と、
前記撮像手段による撮像と共に行われる収音手段による収音に基づく音響信号に対応する音源であって、前記画像取得手段により取得される第１画像に含まれない音源の位置を特定する特定手段と、
前記画像取得手段により取得される前記第１画像を表示部内の第１表示領域に表示させ、且つ、前記特定手段により特定される音源の位置に応じた前記表示部内の表示位置であって前記第１表示領域の外側に位置する第２表示領域内の表示位置に、前記音源を表す第２画像を表示させる表示制御手段と
を有することを特徴とする情報処理装置。
【請求項１４】
前記特定手段により特定される音源の位置に基づいて前記第２表示領域の大きさを決定する決定手段を更に有し、
前記表示制御手段は、前記決定手段により決定される大きさの前記第２表示領域内に前記第２画像を表示させることを特徴とする請求項１３に記載の情報処理装置。
【請求項１５】
撮像手段による撮像に基づいて生成された画像を取得する画像取得工程と、
前記撮像手段による撮像と共に行われる収音手段による収音に基づく音響信号に対応する音源であって、前記画像取得工程において取得される第１画像に含まれない音源を特定する特定工程と、
前記画像取得工程において取得される前記第１画像の表示と共に、前記第１画像に係る撮像時点とは異なる時点における前記撮像手段による撮像に基づく第２画像であって前記特定工程において特定される音源の少なくとも一部を含む前記第２画像を表示部に表示させる表示制御工程と
を含むことを特徴とする情報処理方法。
【請求項１６】
撮像手段による撮像対象領域の撮像に基づいて生成された画像を取得する画像取得工程と、
前記撮像手段による撮像と共に行われる収音手段による収音に基づく音響信号に対応する音源であって、前記画像取得工程により取得される第１画像に含まれない音源の位置を特定する特定工程と、
前記画像取得工程により取得される前記第１画像を表示部内の第１表示領域に表示させ、且つ、前記特定工程により特定される音源の位置に応じた前記表示部内の表示位置であって前記第１表示領域の外側に位置する第２表示領域内の表示位置に、前記音源を表す第２画像を表示させる表示制御工程と
を含むことを特徴とする情報処理方法。
【請求項１７】
コンピュータを、請求項１乃至１４の何れか１項に記載の情報処理装置の各手段として機能させるためのプログラム。
【手続補正２】
【補正対象書類名】明細書
【補正対象項目名】０００６
【補正方法】変更
【補正の内容】
【０００６】
そこで、本発明の情報処理装置は、撮像手段による撮像に基づいて生成された画像を取得する画像取得手段と、前記撮像手段による撮像と共に行われる収音手段による収音に基づく音響信号に対応する音源であって、前記画像取得手段により取得される第１画像に含まれない音源を特定する特定手段と、前記画像取得手段により取得される前記第１画像の表示と共に、前記第１画像に係る撮像時点とは異なる時点における前記撮像手段による撮像に基づく第２画像であって前記特定手段により特定される音源の少なくとも一部を含む前記第２画像を表示部に表示させる表示制御手段とを有することを特徴とする。